(57)【要約】【課題】  利用者が投稿した画像を利用してカレンダを容易に作成することができるカレンダ作成装置を提供する。【解決手段】  １月から１２月の各月において、投稿された画像が撮影密度の高い順にランク付けされる（ステップＳ２２）。次に、画像ランク決定部２８により、１月に投稿された画像が閲覧回数カウント部２６によりカウントされた閲覧回数が高い順にランク付けされる（ステップＳ２４）。次に、ステップＳ２２及びＳ２４において決定されたランクに基づいて１月に投稿された画像の総合ランクが決定され（ステップＳ２６）、総合ランクが１位の画像が１月のカレンダ用画像として抽出される（ステップＳ２８）。そして、１月から１２月のカレンダ用画像が取得されると、カレンダ作成部３０により、カレンダのデータが作成され、プリンタ３２に出力されてプリントされる。また、ウェブ日記作成者に対して所定の課金処理が行われる（ステップＳ３０）。【選択図】      図５
2008047034.tif 000002
【特許請求の範囲】
【請求項１】
投稿者により投稿された画像を含む記事を記録する記録手段と、
前記記事を配信する配信手段と、
前記記事中の画像が閲覧者によって閲覧された回数である閲覧回数をカウントする閲覧回数カウント手段と、
所定の月に投稿又は撮影された画像の中から前記閲覧回数に基づいてカレンダ用画像を抽出する抽出手段と、
カレンダの作成指示を受け付けるカレンダ作成指示受付手段と、
前記カレンダの作成指示に応じて、前記カレンダ用画像を用いて該画像が投稿又は撮影された月のカレンダを作成するカレンダ作成手段と、
を備えることを特徴とするカレンダ作成装置。
【請求項２】
前記カレンダ作成手段は、前記カレンダ用画像が複数抽出された場合に、前記カレンダ用画像の閲覧回数に基づいて画像のレイアウトを決定することを特徴とする請求項１記載のカレンダ作成装置。
【請求項３】
投稿者により投稿された画像を含む記事を記録する記録手段と、
前記記事中の画像が撮影された日時の前後の所定の期間内に撮影された画像の数を示す撮影密度の情報を取得する撮影密度取得手段と、
所定の月に投稿又は撮影された画像の中から前記撮影密度に基づいてカレンダ用画像を抽出する抽出手段と、
カレンダの作成指示を受け付けるカレンダ作成指示受付手段と、
前記カレンダの作成指示に応じて、前記カレンダ用画像を用いて該画像が投稿又は撮影された月のカレンダを作成するカレンダ作成手段と、
を備えることを特徴とするカレンダ作成装置。
【請求項４】
前記カレンダ作成手段は、前記カレンダ用画像が複数抽出された場合に、前記カレンダ用画像の撮影密度に基づいて画像のレイアウトを決定することを特徴とする請求項３記載のカレンダ作成装置。
【請求項５】
投稿者により投稿された画像を含む記事を記録する記録手段と、
前記記事を配信する配信手段と、
前記記事中の画像が閲覧者によって閲覧された回数である閲覧回数をカウントする閲覧回数カウント手段と、
前記記事中の画像が撮影された日時の前後の所定の期間内に撮影された画像の数を示す撮影密度の情報を取得する撮影密度取得手段と、
所定の月に投稿又は撮影された画像の中から前記閲覧回数及び前記撮影密度に基づいてカレンダ用画像を抽出する抽出手段と、
カレンダの作成指示を受け付けるカレンダ作成指示受付手段と、
前記カレンダの作成指示に応じて、前記カレンダ用画像を用いて該画像が投稿又は撮影された月のカレンダを作成するカレンダ作成手段と、
を備えることを特徴とするカレンダ作成装置。
【請求項６】
前記カレンダ作成手段は、前記カレンダ用画像が複数抽出された場合に、前記カレンダ用画像の閲覧回数又は撮影密度の少なくとも一方に基づいて画像のレイアウトを決定することを特徴とする請求項５記載のカレンダ作成装置。
【発明の詳細な説明】
【技術分野】
【０００１】
本発明はカレンダ作成装置に係り、特にユーザから送信された画像を用いてカレンダを作成するサービスに関する。
【背景技術】
【０００２】
近年、電子カメラやカメラ付き携帯電話の普及により画像を撮影する機会が増えており、ウェブ上で画像を含む日記を公開するウェブログ（所謂、ブログ）やソーシャルネットワークサービス（ＳＮＳ）が普及している。また、電子カメラ等を用いて撮影した画像を利用して、カレンダを作成、販売するサービスが提供されている（例えば、特許文献１）。
【特許文献１】特開２００１−２７３４２７号公報
【発明の開示】
【発明が解決しようとする課題】
【０００３】
自分で撮影した画像を利用してオリジナルのカレンダを作成するサービスは魅力的ではあるが、従来のサービスでは、カレンダの作成に使用する画像を選択するための操作が煩雑であるという問題があった。このため、魅力的なサービスであるにもかかわらず、広く普及するまでには至っていないのが現状である。
【０００４】
本発明はこのような事情に鑑みてなされたもので、利用者が投稿した画像を利用してカレンダを容易に作成することができるカレンダ作成装置を提供することを目的とする。
【課題を解決するための手段】
【０００５】
上記課題を解決するために、本発明の請求項１に係るカレンダ作成装置は、投稿者により投稿された画像を含む記事を記録する記録手段と、前記記事を配信する配信手段と、前記記事中の画像が閲覧者によって閲覧された回数である閲覧回数をカウントする閲覧回数カウント手段と、所定の月に投稿又は撮影された画像の中から前記閲覧回数に基づいてカレンダ用画像を抽出する抽出手段と、カレンダの作成指示を受け付けるカレンダ作成指示受付手段と、前記カレンダの作成指示に応じて、前記カレンダ用画像を用いて該画像が投稿又は撮影された月のカレンダを作成するカレンダ作成手段とを備えることを特徴とする。
【０００６】
請求項１に係る発明によれば、配信している画像が閲覧された回数に基づいて、カレンダ用画像を自動的に選択してカレンダを容易に作成することができる。これにより、カレンダ用画像の選択等の煩雑な操作を省き、オリジナルのカレンダを作成するサービスの利用を促進することができる。
【０００７】
請求項２に係る発明は、請求項１記載のカレンダ作成装置において、前記カレンダ作成手段は、前記カレンダ用画像が複数抽出された場合に、前記カレンダ用画像の閲覧回数に基づいて画像のレイアウトを決定することを特徴とする。
【０００８】
請求項２に係る発明によれば、投稿した画像の閲覧回数の情報に基づいて、カレンダ用画像を自動的に選択してレイアウトを決定してカレンダを容易に作成することができる。これにより、カレンダ用画像の選択等の煩雑な操作を省き、オリジナルのカレンダを作成するサービスの利用を促進することができる。
【０００９】
請求項３に係るカレンダ作成装置は、投稿者により投稿された画像を含む記事を記録する記録手段と、前記記事中の画像が撮影された日時の前後の所定の期間内に撮影された画像の数を示す撮影密度の情報を取得する撮影密度取得手段と、所定の月に投稿又は撮影された画像の中から前記撮影密度に基づいてカレンダ用画像を抽出する抽出手段と、カレンダの作成指示を受け付けるカレンダ作成指示受付手段と、前記カレンダの作成指示に応じて、前記カレンダ用画像を用いて該画像が投稿又は撮影された月のカレンダを作成するカレンダ作成手段とを備えることを特徴とする。
【００１０】
請求項３に係る発明によれば、画像が撮影された日時の前後の所定の期間内に撮影された画像の数を示す撮影密度の情報に基づいて、カレンダ用画像を自動的に選択してカレンダを容易に作成することができる。これにより、カレンダ用画像の選択等の煩雑な操作を省き、オリジナルのカレンダを作成するサービスの利用を促進することができる。
【００１１】
請求項４に係る発明は、請求項３記載のカレンダ作成装置において、前記カレンダ作成手段は、前記カレンダ用画像が複数抽出された場合に、前記カレンダ用画像の撮影密度に基づいて画像のレイアウトを決定することを特徴とする。
【００１２】
請求項４に係る発明によれば、投稿した画像の撮影密度の情報に基づいて、カレンダ用画像を自動的に選択してレイアウトを決定してカレンダを容易に作成することができる。これにより、カレンダ用画像の選択等の煩雑な操作を省き、オリジナルのカレンダを作成するサービスの利用を促進することができる。
【００１３】
請求項５に係るカレンダ作成装置は、投稿者により投稿された画像を含む記事を記録する記録手段と、前記記事を配信する配信手段と、前記記事中の画像が閲覧者によって閲覧された回数である閲覧回数をカウントする閲覧回数カウント手段と、前記記事中の画像が撮影された日時の前後の所定の期間内に撮影された画像の数を示す撮影密度の情報を取得する撮影密度取得手段と、所定の月に投稿又は撮影された画像の中から前記閲覧回数及び前記撮影密度に基づいてカレンダ用画像を抽出する抽出手段と、カレンダの作成指示を受け付けるカレンダ作成指示受付手段と、前記カレンダの作成指示に応じて、前記カレンダ用画像を用いて該画像が投稿又は撮影された月のカレンダを作成するカレンダ作成手段とを備えることを特徴とする。
【００１４】
請求項５に係る発明によれば、閲覧回数及び撮影密度の情報に基づいて、カレンダ用画像を自動的に選択してカレンダを容易に作成することができる。これにより、カレンダ用画像の選択等の煩雑な操作を省き、オリジナルのカレンダを作成するサービスの利用を促進することができる。
【００１５】
請求項６に係る発明は、請求項５記載のカレンダ作成装置において、前記カレンダ作成手段は、前記カレンダ用画像が複数抽出された場合に、前記カレンダ用画像の閲覧回数又は撮影密度の少なくとも一方に基づいて画像のレイアウトを決定することを特徴とする。
【００１６】
請求項６に係る発明によれば、投稿した画像の閲覧回数や撮影密度の情報に基づいて、カレンダ用画像を自動的に選択してレイアウトを決定してカレンダを容易に作成することができる。これにより、カレンダ用画像の選択等の煩雑な操作を省き、オリジナルのカレンダを作成するサービスの利用を促進することができる。
【発明の効果】
【００１７】
本発明によれば、投稿した画像の閲覧回数や撮影密度の情報に基づいて、カレンダ用画像を自動的に選択してレイアウトを決定してカレンダを容易に作成することができる。これにより、カレンダ用画像の選択等の煩雑な操作を省き、オリジナルのカレンダを作成するサービスの利用を促進することができる。
【発明を実施するための最良の形態】
【００１８】
以下、添付図面に従って本発明に係るカレンダ作成装置の好ましい実施の形態について説明する。
【００１９】
［第１の実施形態］
図１は、本発明の第１の実施形態に係るカレンダ作成装置を備えたウェブ日記配信サーバを説明するための図である。図１に示すように、ウェブ日記作成者端末１００は、ネットワークを介してウェブ日記配信サーバ１０と通信可能になっており、ウェブ日記作成者がウェブ日記の投稿や閲覧に使用する端末である。ウェブ日記作成者端末１００は、例えば、パーソナルコンピュータ（ＰＣ）や、通信機能を有する携帯電話、情報携帯端末（ＰＤＡ）等により構成される。
【００２０】
ウェブ日記作成者は、ウェブ日記作成者端末１００を使用してウェブ日記を作成して、自身がアカウントを有するウェブ日記配信サーバに投稿する。ウェブ日記配信サーバ１０は、ネットワークを介して通信可能な閲覧者側の端末（例えば、パーソナルコンピュータ（ＰＣ）や、通信機能を有する携帯電話、情報携帯端末（ＰＤＡ））からのウェブ日記の配信を要求するリクエストに応じてウェブ日記を閲覧者側の端末に配信する。
【００２１】
［ウェブ日記作成者端末１００の構成］
図２は、ウェブ日記作成者端末１００の主要構成を示すブロック図である。ウェブ日記作成者端末１００は、例えば、パーソナルコンピュータ（ＰＣ）等から構成されており、ウェブ日記の作成、ウェブ日記配信サーバへの投稿等を行うための装置である。図２に示すように、中央処理装置（ＣＰＵ）１０２は、バス１０４を介してウェブ日記作成者端末１００内の各ブロックに接続されており、各ブロックの動作を制御する。主メモリ１０６は、制御プログラムが格納される記憶領域や、プログラム実行時の作業領域を含んでいる。ハードディスク装置１０８には、ウェブ日記作成者端末１００のオペレーティングシステム（ＯＳ）や、各種のアプリケーションソフト等が格納される。ＣＤ−ＲＯＭ装置１１０は、図示せぬＣＤ−ＲＯＭからのデータの読み込みを行う。カードインターフェース部（カードＩ／Ｆ）１１２は、メモリカード１１４から画像データを読み取る。表示メモリ１１６は、表示用データを一時記憶する。モニタ１１８は、例えば、ＣＲＴ（Cathode Ray Tube）モニタや液晶モニタにより構成され、この表示メモリ１１６から出力される画像データ、文字データ等に基づいて画像や文字等を表示する。キーボード１２０及びマウス１２２は、操作者からの操作入力を受け付けて、操作入力に応じた信号をＣＰＵ１０２に入力する。なお、ポインティングデバイスとしては、マウス１２２のほか、タッチパネルやタッチパッド等を用いることができる。マウスコントローラ１２４は、マウス１２２の状態を検出してモニタ１１８上のマウスポインタの位置や、マウス１２２の状態等の信号をＣＰＵ１０２に出力する。オーディオ入出力回路１２６には、マイク１２８及びスピーカ１３０が接続され、各種の音声信号が入力されるとともに、キーボード１２０等からの操作入力に応じて各種動作音が再生出力される。通信インターフェース部（通信Ｉ／Ｆ）１３２は、ネットワークＮＷとの通信を行う。カメラ接続インターフェース部（カメラ接続Ｉ／Ｆ）１３４は、撮影装置（電子カメラ、デジタルカメラ）１３６との間でデータの送受信を行う。
【００２２】
ウェブ日記編集部１３８は、キーボード１２０やマウス１２２からの操作入力に基づいてウェブ日記を作成する。ウェブ日記には、画像を貼り付けることができる。
【００２３】
撮影密度算出部１４０は、ハードディスク装置１０８に記録された画像ファイルとその撮影日時の情報を取得して、ウェブ日記に貼り付けられた画像の撮影日時の前後の所定時間以内（例えば、３時間）に撮影された画像の数をカウントし、このカウントした数をウェブ日記に貼り付けられた画像ファイルに付加情報（例えば、ＥＸＩＦタグ情報）として書き込む。
【００２４】
ウェブ日記編集部１３８により作成されたウェブ日記は、ネットワークＮＷを介してウェブ日記配信サーバ１０に投稿される。
【００２５】
［ウェブ日記配信サーバ１０の構成］
図３は、ウェブ日記配信サーバ１０の主要構成を示すブロック図である。図３に示すように、ウェブ日記配信サーバ１０は、ＣＰＵ１２、メモリ１４、アカウント登録・認証部１６、ウェブ日記記録部１８、ウェブ日記配信部２０、通信インターフェース部（通信Ｉ／Ｆ）２２、画像情報取得部２４、閲覧回数カウント部２６、画像ランク決定部２８、カレンダ作成部３０、プリンタ３２及び課金装置３４を備えている。
【００２６】
ＣＰＵ１２は、図３に示すように、バス３６を介してウェブ日記配信サーバ１０内の各部に接続されており、ウェブ日記配信サーバ１０の動作を制御する統括制御部である。メモリ１４は、ＣＰＵ１２が処理するプログラム及び制御に必要な各種データ等が格納されるＲＯＭや、ＣＰＵ１２が各種の演算処理等を行う作業用領域及び画像処理領域となるＳＤＲＡＭ等を有している。
【００２７】
アカウント登録・認証部１６は、ウェブ日記作成者のアカウントを登録し、ウェブ日記作成者端末１００からのアクセスを受け付けると、所定の認証処理により、ウェブ日記作成者端末１００に対してウェブ日記の投稿、編集の許可を与える。
【００２８】
通信インターフェース部（通信Ｉ／Ｆ）２２は、ネットワークＮＷと接続されており、所定のプロトコルに従って各種データの送受信を行う。
【００２９】
ウェブ日記作成者端末１００から投稿されたウェブ日記は、通信Ｉ／Ｆ２２を介してウェブ日記記録部１８に入力される。ウェブ日記記録部１８は、ウェブ日記作成者端末１００から投稿されたウェブ日記を記録する。ウェブ日記配信部２０は、閲覧者側端末２００からのウェブ日記のリクエストに応じてウェブ日記記録部１８からウェブ日記を取得し、通信Ｉ／Ｆ２０を介して閲覧者側端末２００に配信する。
【００３０】
次に、ウェブ日記配信サーバ１０においてカレンダを作成する機能について説明する。画像情報取得部２４は、ウェブ日記記録部１８に記録されたウェブ日記の記事に含まれる画像から投稿された月及び撮影密度の情報を取得する。
【００３１】
閲覧回数カウント部２６は、ウェブ日記に含まれる画像ごとに閲覧された閲覧回数をカウントする。
【００３２】
画像ランク決定部２８は、ウェブ日記中の画像をその投稿された月ごとに分類し、各画像に対する閲覧回数及び撮影密度に基づいてウェブ日記中の画像の投稿月ごとのランクを決定する。
【００３３】
カレンダ作成部３０は、ウェブ日記作成者端末１００からのカレンダの作成指示を受け付けると、１月から１２月においてランクが１位の画像を用いてカレンダを作成する。そして、カレンダ作成部３０は、作成したカレンダをプリント用のデータに変換してプリンタ３２に出力する。プリンタ３２は、カレンダ作成部３０から入力されたプリント用のカレンダのデータをプリントする。プリントされたカレンダは、ウェブ日記作成者に対して配送される。
【００３４】
課金装置３４は、カレンダの作成指示を出力したウェブ日記作成者に対してカレンダの代金の課金処理を行う。
【００３５】
［ウェブ日記の投稿時の処理］
次に、ウェブ日記作成者端末１００においてウェブ日記を投稿する処理の流れについて、図４のフローチャートを参照して説明する。まず、ウェブ日記編集部１３８によってウェブ日記の記事が作成されて、図４に示すように、当該記事に掲載して投稿する画像が選択される（ステップＳ１０）。次に、ウェブ日記作成者端末１００の撮影密度算出部１４０により、ハードディスク装置１０８内に保存された画像の撮影日時情報が取得され、当該画像の撮影日時の前後の所定期間以内（例えば、３０分以内）に撮影された画像の枚数（撮影密度）がカウントされる（ステップＳ１２）。そして、上記撮影密度が当該画像に付加されて（ステップＳ１４）、ウェブ日記の記事とともに画像がウェブ日記配信サーバ１０に投稿される（ステップＳ１６）。
【００３６】
［カレンダ作成処理］
次に、ウェブ日記配信サーバ１０においてカレンダを作成する処理の流れについて、図５のフローチャートを参照して説明する。ウェブ日記作成者端末１００からカレンダの作成指示を受け付けると（ステップＳ２０）、ウェブ日記配信サーバ１０から配信されるウェブ日記中の画像の中からカレンダの作成に使用する１２ヶ月分のカレンダ用画像が抽出される（ステップＳ２２からＳ２８）。
【００３７】
まず、画像情報取得部２４により、１月に投稿された画像から撮影密度の情報が取得される。そして、画像ランク決定部２８により、１月に投稿された画像が撮影密度の高い順にランク付けされる（ステップＳ２２）。
【００３８】
次に、画像ランク決定部２８により、１月に投稿された画像が閲覧回数カウント部２６によりカウントされた閲覧回数が高い順にランク付けされる（ステップＳ２４）。
【００３９】
次に、ステップＳ２２及びＳ２４において決定されたランクに基づいて１月に投稿された画像の総合ランクが決定され（ステップＳ２６）、総合ランクが１位の画像が１月のカレンダ用画像として抽出される（ステップＳ２８）。ステップＳ２６では、例えば、撮影密度に基づくランクと閲覧回数に基づくランクに重み付けして加算した値が小さい順にランク付けを行って総合ランクを決定する。例えば、撮影密度に基づくランクに対して７０％、閲覧回数に基づくランクに対して３０％の重み付けを行って加算した値＝（撮影密度に基づくランク）×７０％＋（閲覧回数に基づくランク）×３０％が小さい順に総合ランクを決定する。
【００４０】
そして、２月から１２月までの画像についてもステップＳ２２からＳ２８の工程が繰り返されて、１月から１２月のカレンダ用画像が取得されると、カレンダ作成部３０により、カレンダのデータが作成され、プリンタ３２に出力されてプリントされる。また、ウェブ日記作成者に対して所定の課金処理が行われる（ステップＳ３０）。
【００４１】
本実施形態によれば、カレンダ用画像を自動的に選択してカレンダを容易に作成することができる。これにより、カレンダ用画像の選択等の煩雑な操作を省き、オリジナルのカレンダを作成するサービスの利用を促進することができる。
【００４２】
［第２の実施形態］
次に、本発明の第２の実施形態について説明する。なお、ウェブ日記作成者端末１００の構成、及びウェブ日記作成者端末１００からウェブ日記を投稿する処理は、上記第１の実施形態と同様である。
【００４３】
図６は、本発明の第２の実施形態に係るカレンダ作成装置を備えたウェブ日記配信サーバ１０の主要構成を示すブロック図である。図６に示すように、本実施形態のウェブ日記配信サーバ１０は、ウェブ日記中に掲載されて配信されている画像に対して、カレンダ用画像を選択する基準となるポイントを付与するポイント付与部３８を備えている。
【００４４】
図７は、ウェブ日記配信サーバ１０においてカレンダを作成する処理を示すフローチャートである。ウェブ日記作成者端末１００からカレンダの作成指示を受け付けると（ステップＳ５０）、ウェブ日記配信サーバ１０から配信されるウェブ日記中の画像に対して、カレンダ用画像を選択する基準となるポイントが付与される（ステップＳ５２からＳ５６）。
【００４５】
まず、画像情報取得部２４により、ウェブ日記中の画像から撮影密度の情報が取得されて、ポイント付与部３８により、撮影密度に応じたポイントが付与される（ステップＳ５２）。ここで、撮影密度は、当該画像の撮影日時の前後の所定期間以内（例えば、３０分以内）に撮影された画像の枚数であり、ステップＳ５２では、例えば、撮影密度が０から９枚の場合には０点、１０から４９枚の場合には１点、５０枚以上の場合には２点のポイントが付与される。
【００４６】
次に、ポイント付与部３８により、閲覧回数カウント部２６によりカウントされた閲覧回数に応じてポイントが付与される（ステップＳ５４）。ステップＳ５４では、例えば、閲覧回数が０から９回の場合には０点、１０から４９回の場合には１点、５０回以上の場合には２点のポイントが付与される。
【００４７】
次に、ステップＳ５２及びＳ５４において付与されたポイントが加算されて、当該画像の総合ポイントが算出される（ステップＳ５６）。そして、上記ステップＳ５２からＳ５４の工程が繰り返されて、ウェブ日記作成者により投稿されたすべての画像について総合ポイントが算出、付与される。
【００４８】
次に、カレンダ作成部３０により、１月に投稿された画像の中からポイントが所定値以上（例えば、３点以上）の画像が抽出され（ステップＳ５８）、抽出されたカレンダ用画像が自動的にレイアウトされる（ステップＳ６０）。そして、２月から１２月までの画像についてもステップＳ５８及びＳ６０の工程が繰り返されて、画像の抽出及び自動レイアウトが行われる。
【００４９】
そして、１月から１２月のカレンダ用画像が取得されると、カレンダ作成部３０により、カレンダのデータが作成され、プリンタ３２に出力されてプリントされる。また、ウェブ日記作成者に対して所定の課金処理が行われる（ステップＳ６２）。
【００５０】
ステップＳ６０において、カレンダ用画像は、抽出された枚数及びポイントの点数に応じてレイアウトされる。図８及び図９は、カレンダ用画像のレイアウトの例を示す図である。図８（ａ）に示すように、７月に投稿された画像の中からポイントが４点の画像が１枚、ポイントが３点の画像が２枚抽出された場合には、図８（ｂ）に示すように、ポイントが４点の画像７Ａは、ポイントが３点の画像７Ｂ及び７Ｃよりも大きなサイズになるようにレイアウトされる。一方、図８（ａ）に示すように、８月に投稿された画像の中からポイントが４点の画像が２枚抽出された場合には、図９（ｂ）に示すように、ポイントが４点の画像８Ａ及び８Ｂは、略同じサイズになるようにレイアウトされる。
【００５１】
本実施形態によれば、カレンダ用画像を自動的に選択してレイアウトすることができ、カレンダを容易に作成することができる。
【００５２】
なお、上記実施形態では、ウェブ日記配信サーバ１０側でカレンダをプリントして課金を行うようにしたが、ウェブ日記配信サーバ１０側ではカレンダのデータの作成のみを行い、ウェブ日記作成者端末１００によりカレンダのデータをダウンロードしてプリント可能としてもよい。
【００５３】
また、上記実施形態では、１ヶ月ごとにカレンダ用画像を抽出するようにしたが、例えば、カレンダの種類に応じて、日めくりカレンダの場合には日ごと、週めくりカレンダの場合には週ごと、季節ごとに１枚の用紙で構成されるカレンダの場合には数ヶ月又は半年ごとにカレンダ用画像を抽出するようにしてもよい。
【図面の簡単な説明】
【００５４】
【図１】本発明の第１の実施形態に係るカレンダ作成装置を備えたウェブ日記配信サーバを説明するための図
【図２】ウェブ日記作成者端末１００の主要構成を示すブロック図
【図３】ウェブ日記配信サーバ１０の主要構成を示すブロック図
【図４】ウェブ日記作成者端末１００においてウェブ日記を投稿する処理を示すフローチャート
【図５】ウェブ日記配信サーバ１０においてカレンダを作成する処理を示すフローチャート
【図６】本発明の第２の実施形態に係るカレンダ作成装置を備えたウェブ日記配信サーバ１０の主要構成を示すブロック図
【図７】ウェブ日記配信サーバ１０においてカレンダを作成する処理を示すフローチャート
【図８】カレンダ用画像のレイアウトの例を示す図
【図９】カレンダ用画像のレイアウトの例を示す図
【符号の説明】
【００５５】
１０…ウェブ日記配信サーバ、１２…ＣＰＵ、１４…メモリ、１６…アカウント登録・認証部、１８…ウェブ日記記録部、２０…ウェブ日記配信部、２２…通信インターフェース部（通信Ｉ／Ｆ）、２４…画像情報取得部、２６…閲覧回数カウント部、２８…画像ランク決定部、３０…カレンダ作成部、３２…リンタ、３４…課金装置、３６…バス、３８…ポイント付与部、１００…ウェブ日記作成者端末、１０２…中央処理装置（ＣＰＵ）、１０４…バス、１０６…主メモリ、１０８…ハードディスク装置、１１０…ＣＤ−ＲＯＭ装置、１１２…カードインターフェース部（カードＩ／Ｆ）、１１４…メモリカード、１１６…表示メモリ、１１８…モニタ、１２０…キーボード、１２２…マウス、１２４…マウスコントローラ、１２６…オーディオ入出力回路、１２８…マイク、１３０…スピーカ、１３２…通信インターフェース部（通信Ｉ／Ｆ）、１３４…カメラ接続インターフェース部（カメラ接続Ｉ／Ｆ）、１３６…撮影装置（電子カメラ）、１３８…ウェブ日記編集部、１４０…撮影密度算出部
【図１】
2008047034.tif 000003
【図２】
2008047034.tif 000004
【図３】
2008047034.tif 000005
【図４】
2008047034.tif 000006
【図５】
2008047034.tif 000007
【図６】
2008047034.tif 000008
【図７】
2008047034.tif 000009
【図８】
2008047034.tif 000010
【図９】
2008047034.tif 000011